(57)【要約】  本願の実施例は第１信号セットにおける信号のリンクが利用できなくなるほど悪いとき、第２信号セットにおける信号の品質を利用して、ランダムアクセスシーケンス及び／又はリソースを選択することができる無線通信方法及び装置を提供する。該方法は、端末が第１プロトコル層で第１信号セットにおける信号の品質の第１条件を満たすほど悪いことを示す第１イベントを第２プロトコル層に報告することと、端末が第２プロトコル層で第１イベントの発生状況に基づいて第２イベントが発生したと決定した場合、端末が第２プロトコル層で第１プロトコル層における第２信号セットに関する信号報告状況に基づいて、伝送のためのランダムアクセスシーケンス及び／又はリソースを決定することであって、ランダムアクセスシーケンス及び／又はリソースが競争に基づくランダムアクセスシーケンス及び／又はリソース、又は、無競争に基づくランダムアクセスシーケンス及び／又はリソースであることと、を含み、第２イベントは該第１信号セットにおける信号に対応するリンク品質が第２条件を満たすほど悪いことを示すことに用いられる。
2021516875.tif 000002
【特許請求の範囲】
【請求項１】
無線通信方法であって、
端末は第１プロトコル層で第１信号セットにおける信号の品質が第１条件を満たすほど悪いことを示すための第１イベントを第２プロトコル層に報告することと、
前記端末は前記第２プロトコル層で前記第１イベントの発生状況に基づいて第２イベントが発生したと決定した場合、前記端末は前記第２プロトコル層で前記第１プロトコル層における第２信号セットに関する信号報告状況に基づいて、伝送のためのランダムアクセスシーケンス及び／又はリソースを決定することであって、前記ランダムアクセスシーケンス及び／又はリソースが競争に基づくランダムアクセスシーケンス及び／又はリソース、又は、無競争に基づくランダムアクセスシーケンス及び／又はリソースであることと、を含み、
前記第２イベントは該第１信号セットにおける信号に対応するリンク品質が第２条件を満たすほど悪いことを示すことに用いられる、前記無線通信方法。
【請求項２】
前記無線通信方法は、更に、
前記端末が前記第２プロトコル層で第１タイマーを起動することを含み、
前記端末が第２プロトコル層で前記第１プロトコル層の信号報告状況に基づいて、伝送のためのランダムアクセスシーケンス及び／又はリソースを決定することは、
前記端末が前記第２プロトコル層で前記第１タイマーの持続時間範囲内の前記第２信号セットに関する信号報告状況に基づいて、前記ランダムアクセスシーケンス及び／又はリソースを決定することを含む
請求項１に記載の無線通信方法。
【請求項３】
前記端末が前記第２プロトコル層で前記第１タイマーの持続時間範囲内の前記信号報告状況に基づいて、伝送のためのランダムアクセスシーケンス及び／又はリソースを決定することは、
前記第１タイマーの持続時間範囲内において、前記端末が前記第２プロトコル層で前記第１プロトコル層の第１報告情報を受信するとき、前記伝送のためのランダムアクセスシーケンス及び／又はリソースを無競争に基づくランダムアクセスシーケンス及び／又はリソースとして決定することであって、前記第１報告情報は、品質が第３条件を満たすほど良い第２信号セットのうちの少なくとも１つの信号を示すことに用いられることを含む
請求項２に記載の無線通信方法。
【請求項４】
前記端末が前記第２プロトコル層で前記第１タイマーの持続時間範囲内の前記信号報告状況に基づいて、伝送のためのランダムアクセスシーケンス及び／又はリソースを決定することは、
前記第１タイマーの持続時間範囲内において、前記端末が前記第２プロトコル層で前記第１プロトコル層の第２報告情報を受信するとき、前記伝送のためのランダムアクセスシーケンス及び／又はリソースを競争に基づくランダムアクセスシーケンス及び／又はリソースとして決定することであって、前記報告情報が前記第２信号セットには品質の第３条件を満たすほど良い信号がないことを示すことに用いられることを含む
請求項２に記載の無線通信方法。
【請求項５】
前記端末が前記第２プロトコル層で前記第１タイマーの持続時間範囲内の前記信号報告状況に基づいて、伝送のためのランダムアクセスシーケンス及び／又はリソースを決定することは、
前記第１タイマーの持続時間範囲内において、前記端末が前記第２プロトコル層で前記第１プロトコル層の、品質の第３条件を満たすほど良い第２信号セットのうちの少なくとも１つの信号を示すための報告情報を受信しないとき、前記伝送のためのランダムアクセスシーケンス及び／又はリソースを競争に基づくランダムアクセスシーケンス及び／又はリソースとして決定することを含む
請求項２に記載の無線通信方法。
【請求項６】
前記端末が前記第２プロトコル層で第１タイマーを起動することは、
前記端末が前記第２イベントの発生したと決定した時刻である第１時刻に、前記第２プロトコル層において前記第１タイマーを起動し、
又は、前記第２イベントが発生したと決定した後、前記第２プロトコル層が第１イベントの報告停止時刻を前記第１プロトコル層に通知し、
又は、前記第２イベントが発生したと決定した後、前記第２プロトコル層が、第２信号セットにおける信号品質の第３条件を満たすほど良い信号の報告時刻を前記第１プロトコル層に通知し、
又は、前記第２イベントが発生したと決定した後、前記第２プロトコル層が前記第２信号セットにおける信号の測定時刻を前記第１プロトコル層に通知することを含む
請求項１〜５のいずれか１項に記載の無線通信方法。
【請求項７】
前記無線通信方法は、更に、
前記端末が、前記第１プロトコル層が前記第２プロトコル層によって前記第２イベントが発生したと決定した後に送信された指示情報を受信した後、測定結果に基づき、品質の第３条件を満たすほど良い第２信号セットのうちの少なくとも１つの信号又は前記第２信号セットには品質の第３条件を満たすほど良い信号がないことを示すための第３報告情報を第２プロトコル層に送信することを含む
請求項１に記載の無線通信方法。
【請求項８】
前記端末が第２プロトコル層で前記第１プロトコル層の信号報告状況に基づいて、伝送のためのランダムアクセスシーケンス及び／又はリソースを決定することは、
前記第３報告情報が前記少なくとも１つの信号を示すとき、前記伝送のためのランダムアクセスシーケンス及び／又はリソースを無競争に基づくランダムアクセスシーケンス及び／又はリソースとして決定すること、又は
前記第３報告情報が前記第２信号セットには品質の第３条件を満たすほど良い信号がないことを示すとき、前記伝送のためのランダムアクセスシーケンス及び／又はリソースを競争に基づくランダムアクセスシーケンス及び／又はリソースとして決定することを含む
請求項７に記載の無線通信方法。
【請求項９】
前記無線通信方法は、更に、
前記第１プロトコル層が前記第２プロトコル層の前記第２イベントの発生したと決定した後に送信した指示情報を受信した後、前記第１プロトコル層において第２タイマーを起動することと、
前記第２タイマーの持続時間範囲内において、測定結果に基づき、品質の第３条件を満たすほど良い第２信号セットのうちの少なくとも１つの信号又は前記第２信号セットには品質の第３条件を満たすほど良い信号がないことを示すための第４報告情報を第２プロトコル層に送信することと、を含む
請求項１に記載の無線通信方法。
【請求項１０】
前記端末が第２プロトコル層で前記第１プロトコル層の信号報告状況に基づいて、伝送のためのランダムアクセスシーケンス及び／又はリソースを決定することは、
前記第４報告情報が前記少なくとも１つの信号を示すとき、前記ランダムアクセスシーケンス及び／又はリソースを無競争に基づくランダムアクセスシーケンス及び／又はリソースとして決定すること、又は
前記第４報告情報が、前記第２信号セットには品質の第３条件を満たすほど良い信号がないことを示すとき、前記ランダムアクセスシーケンス及び／又はリソースを競争に基づくランダムアクセスシーケンス及び／又はリソースとして決定することを含む
請求項９に記載の無線通信方法。
【請求項１１】
前記無線通信方法は、更に、
前記信号報告状況に基づいて、ランダムアクセスシーケンス及び／又はリソースを競争に基づくランダムアクセスシーケンス及び／又はリソースとして決定するとき、無線リンク監視（ＲＬＭ）測定結果に基づき、対応する競争に基づくランダムアクセスシーケンス及び／又はリソースを決定することを含む
請求項１〜１０のいずれか１項に記載の無線通信方法。
【請求項１２】
端末であって、
通信ユニット及び処理ユニットを備え、
前記通信ユニットは、第１プロトコル層で第１信号セットにおける信号の品質が第１条件を満たすほど悪いことを示すための第１イベントを第２プロトコル層に報告するように構成され、
前記処理ユニットは、前記第２プロトコル層で前記第１イベントの発生状況に基づいて第２イベントが発生したと決定した場合、前記第２プロトコル層で前記第１プロトコル層における第２信号セットに関する信号報告状況に基づいて、伝送のためのランダムアクセスシーケンス及び／又はリソースを決定することに用いられ、前記ランダムアクセスシーケンス及び／又はリソースが競争に基づくランダムアクセスシーケンス及び／又はリソース、又は、無競争に基づくランダムアクセスシーケンス及び／又はリソースであり、
前記第２イベントは該第１信号セットにおける信号に対応するリンク品質が第２条件を満たすほど悪いことを示すことに用いられる、前記端末。
【請求項１３】
前記処理ユニットは、更に、
前記第２プロトコル層で第１タイマーを起動し、
前記第２プロトコル層で前記第１タイマーの持続時間範囲内の前記第２信号セットに関する信号報告状況に基づいて、前記ランダムアクセスシーケンス及び／又はリソースを決定するように構成される
請求項１２に記載の端末。
【請求項１４】
前記処理ユニットは、更に、
前記第１タイマーの持続時間範囲内において、前記第２プロトコル層で前記第１プロトコル層の第１報告情報を受信するとき、前記伝送のためのランダムアクセスシーケンス及び／又はリソースを無競争に基づくランダムアクセスシーケンス及び／又はリソースとして決定するように構成され、前記第１報告情報は品質の第３条件を満たすほど良い第２信号セットのうちの少なくとも１つの信号を示すことに用いられる
請求項１３に記載の端末。
【請求項１５】
前記処理ユニットは、更に、
前記第１タイマーの持続時間範囲内において、前記第２プロトコル層で前記第１プロトコル層の第２報告情報を受信するとき、前記伝送のためのランダムアクセスシーケンス及び／又はリソースを競争に基づくランダムアクセスシーケンス及び／又はリソースとして決定するように構成され、前記報告情報は前記第２信号セットには品質の第３条件を満たすほど良い信号がないことを示すことに用いられる
請求項１３に記載の端末。
【請求項１６】
前記処理ユニットは、更に、
前記第１タイマーの持続時間範囲内において、前記第２プロトコル層で前記第１プロトコル層の品質の第３条件を満たすほど良い第２信号セットのうちの少なくとも１つの信号を示すための報告情報を受信しないとき、前記伝送のためのランダムアクセスシーケンス及び／又はリソースを競争に基づくランダムアクセスシーケンス及び／又はリソースとして決定するように構成される
請求項１３に記載の端末。
【請求項１７】
前記処理ユニットは、更に、
前記第２イベントが発生したと決定した時刻である第１時刻に、前記第２プロトコル層において前記第１タイマーを起動し、
又は、前記第２イベントが発生したと決定した後、前記第２プロトコル層が第１イベントの報告停止時刻を前記第１プロトコル層に通知し、
又は、前記第２イベントが発生したと決定した後、前記第２プロトコル層は、第２信号セットにおける信号品質の第３条件を満たすほど良い信号の報告時刻を前記第１プロトコル層に通知し、
又は、前記第２イベントが発生したと決定した後、前記第２プロトコル層が前記第２信号セットにおける信号の測定時刻を前記第１プロトコル層に通知するように構成される
請求項１２〜１６のいずれか１項に記載の端末。
【請求項１８】
前記通信ユニットは、更に、
前記第１プロトコル層が前記第２プロトコル層の前記第２イベントの発生したと決定した後に送信した指示情報を受信した後、測定結果に基づき、品質の第３条件を満たすほど良い第２信号セットのうちの少なくとも１つの信号又は前記第２信号セットには品質の第３条件を満たすほど良い信号がないことを示すための第３報告情報を第２プロトコル層に送信するように構成される
請求項１２に記載の端末。
【請求項１９】
前記処理ユニットは、更に、
前記第３報告情報が前記少なくとも１つの信号を示すとき、前記伝送のためのランダムアクセスシーケンス及び／又はリソースを無競争に基づくランダムアクセスシーケンス及び／又はリソースとして決定し、又は
前記第３報告情報が前記第２信号セットには品質の第３条件を満たすほど良い信号がないことを示すとき、前記伝送のためのランダムアクセスシーケンス及び／又はリソースを競争に基づくランダムアクセスシーケンス及び／又はリソースとして決定するように構成される
請求項１８に記載の端末。
【請求項２０】
前記処理ユニットは、更に、
前記第１プロトコル層が前記第２プロトコル層の前記第２イベントの発生したと決定した後に送信した指示情報を受信した後、前記第１プロトコル層において第２タイマーを起動するように構成され、
前記通信ユニットは、更に、前記第２タイマーの持続時間範囲内において、測定結果に基づき、品質の第３条件を満たすほど良い第２信号セットのうちの少なくとも１つの信号又は前記第２信号セットには品質の第３条件を満たすほど良い信号がないことを示すための第４報告情報を第２プロトコル層に送信することに用いられる
請求項１２に記載の端末。
【請求項２１】
前記処理ユニットは、更に、
前記第４報告情報が前記少なくとも１つの信号を示すとき、前記ランダムアクセスシーケンス及び／又はリソースを無競争に基づくランダムアクセスシーケンス及び／又はリソースとして決定し、又は
前記第４報告情報が前記第２信号セットには品質の第３条件を満たすほど良い信号がないことを示すとき、前記ランダムアクセスシーケンス及び／又はリソースを競争に基づくランダムアクセスシーケンス及び／又はリソースとして決定するように構成される
請求項２０に記載の端末。
【請求項２２】
前記処理ユニットは、更に、
前記信号報告状況に基づいて、ランダムアクセスシーケンス及び／又はリソースを競争に基づくランダムアクセスシーケンス及び／又はリソースとして決定するとき、無線リンク監視（ＲＬＭ）測定結果に基づき、対応する競争に基づくランダムアクセスシーケンス及び／又はリソースを決定することに用いられる
請求項１２〜２１のいずれか１項に記載の端末。
【発明の詳細な説明】
【技術分野】
【０００１】
本願は通信分野に関し、且つより具体的に、無線通信方法及び装置に関する。
【背景技術】
【０００２】
第５世代（５Ｇ）移動通信システムの研究において、ビームフォーミング技術はカバレッジ及びスペクトル効率を向上させるための重要な技術である。ビームフォーミングはアンテナアレイに基づく信号前処理技術であり、各アンテナアレイエレメントにおける信号を送信する重み値を調整することにより、指向性を有するビームを発生させる。
【０００３】
ネットワーク機器は異なるビームを用いて複数の信号を送信することができるが、端末装置は受信されたこれらの信号を測定することにより、これらの信号を伝送するリンクが利用できなくなるほど悪いかどうかを判断することができる。現在、どのように判断結果に基づいて後続の処理を行うかについての解決手段を提供していない。
【発明の概要】
【発明が解決しようとする課題】
【０００４】
本願の実施例は第１信号セットにおける信号のリンクが利用できなくなるほど悪いとき、第２信号セットにおける信号の品質を利用して、ランダムアクセスシーケンス及び／又はリソースを選択することができる無線通信方法及び装置を提供する。
【課題を解決するための手段】
【０００５】
第１態様に係る無線通信方法であって、
端末は第１プロトコル層で第１信号セットにおける信号の品質が第１条件を満たすほど悪いことを示すための第１イベントを第２プロトコル層に報告することと、
前記端末は前記第２プロトコル層で前記第１イベントの発生状況に基づいて第２イベントが発生したと決定した場合、前記端末は前記第２プロトコル層で前記第１プロトコル層における第２信号セットに関する信号報告状況に基づいて、伝送のためのランダムアクセスシーケンス及び／又はリソースを決定することであって、前記ランダムアクセスシーケンス及び／又はリソースが競争に基づくランダムアクセスシーケンス及び／又はリソース、又は、無競争に基づくランダムアクセスシーケンス及び／又はリソースであることと、を含み、
前記第２イベントは該第１信号セットにおける信号に対応するリンク品質が第２条件を満たすほど悪いことを示すことに用いられる。
【０００６】
第１態様を参照して、第１態様の可能な実現方式では、前記方法は、更に、
前記端末が前記第２プロトコル層で第１タイマーを起動することを含み、
前記端末が第２プロトコル層で前記第１プロトコル層の信号報告状況に基づいて、伝送のためのランダムアクセスシーケンス及び／又はリソースを決定することは、
前記端末が前記第２プロトコル層で前記第１タイマーの持続時間範囲内の前記第２信号セットに関する信号報告状況に基づいて、前記ランダムアクセスシーケンス及び／又はリソースを決定することを含む。
【０００７】
第１態様又は上記いずれか１つの可能な実現方式を参照して、第１態様の他の可能な実現方式では、前記端末が前記第２プロトコル層で前記第１タイマーの持続時間範囲内の前記信号報告状況に基づいて、伝送のためのランダムアクセスシーケンス及び／又はリソースを決定することは、
前記第１タイマーの持続時間範囲内において、前記端末が前記第２プロトコル層で前記第１プロトコル層の第１報告情報を受信するとき、前記伝送のためのランダムアクセスシーケンス及び／又はリソースを無競争に基づくランダムアクセスシーケンス及び／又はリソースとして決定することであって、前記第１報告情報が品質の第３条件を満たすほど良い第２信号セットのうちの少なくとも１つの信号を示すことに用いられることを含む。
【０００８】
第１態様又は上記いずれか１つの可能な実現方式を参照して、第１態様の他の可能な実現方式では、前記端末が前記第２プロトコル層で前記第１タイマーの持続時間範囲内の前記信号報告状況に基づいて、伝送のためのランダムアクセスシーケンス及び／又はリソースを決定することは、
前記第１タイマーの持続時間範囲内において、前記端末が前記第２プロトコル層で前記第１プロトコル層の第２報告情報を受信するとき、前記伝送のためのランダムアクセスシーケンス及び／又はリソースを競争に基づくランダムアクセスシーケンス及び／又はリソースとして決定することであって、前記報告情報が前記第２信号セットには品質の第３条件を満たすほど良い信号がないことを示すことに用いられることを含む。
【０００９】
第１態様又は上記いずれか１つの可能な実現方式を参照して、第１態様の他の可能な実現方式では、前記端末が前記第２プロトコル層で前記第１タイマーの持続時間範囲内の前記信号報告状況に基づいて、伝送のためのランダムアクセスシーケンス及び／又はリソースを決定することは、
前記第１タイマーの持続時間範囲内において、前記端末が前記第２プロトコル層で前記第１プロトコル層の品質の第３条件を満たすほど良い第２信号セットのうちの少なくとも１つの信号を示すための報告情報を受信しないとき、前記伝送のためのランダムアクセスシーケンス及び／又はリソースを競争に基づくランダムアクセスシーケンス及び／又はリソースとして決定することを含む。
【００１０】
第１態様又は上記いずれか１つの可能な実現方式を参照して、第１態様の他の可能な実現方式では、前記端末が前記第２プロトコル層で第１タイマーを起動することは、
前記端末が前記第２イベントの発生したと決定した時刻である第１時刻に、前記第２プロトコル層において前記第１タイマーを起動し、
又は、前記第２イベントが発生したと決定した後、前記第２プロトコル層が第１イベントの報告停止時刻を前記第１プロトコル層に通知し、
又は、前記第２イベントが発生したと決定した後、前記第２プロトコル層が第２信号セットにおける信号品質の第３条件を満たすほど良い信号の報告時刻を前記第１プロトコル層に通知し、
又は、前記第２イベントが発生したと決定した後、前記第２プロトコル層が前記第２信号セットにおける信号の測定時刻を前記第１プロトコル層に通知することを含む。
【００１１】
第１態様又は上記いずれか１つの可能な実現方式を参照して、第１態様の他の可能な実現方式では、前記方法は、更に、
前記端末が前記第１プロトコル層で前記第２プロトコル層の前記第２イベントの発生したと決定した後に送信した指示情報を受信した後、測定結果に基づき、品質の第３条件を満たすほど良い第２信号セットのうちの少なくとも１つの信号又は前記第２信号セットには品質の第３条件を満たすほど良い信号がないことを示すための第３報告情報を第２プロトコル層に送信することを含む。
【００１２】
第１態様又は上記いずれか１つの可能な実現方式を参照して、第１態様の他の可能な実現方式では、前記端末が第２プロトコル層で前記第１プロトコル層の信号報告状況に基づいて、伝送のためのランダムアクセスシーケンス及び／又はリソースを決定することは、
前記第３報告情報が前記少なくとも１つの信号を示すとき、前記伝送のためのランダムアクセスシーケンス及び／又はリソースを無競争に基づくランダムアクセスシーケンス及び／又はリソースとして決定すること、又は
前記第３報告情報が前記第２信号セットには品質の第３条件を満たすほど良い信号がないことを示すとき、前記伝送のためのランダムアクセスシーケンス及び／又はリソースを競争に基づくランダムアクセスシーケンス及び／又はリソースとして決定することを含む。
【００１３】
第１態様又は上記いずれか１つの可能な実現方式を参照して、第１態様の他の可能な実現方式では、前記方法は、更に、
前記第１プロトコル層が前記第２プロトコル層の前記第２イベントの発生したと決定した後に送信した指示情報を受信した後、前記第１プロトコル層において第２タイマーを起動することと、
前記第２タイマーの持続時間範囲内において、
測定結果に基づき、品質の第３条件を満たすほど良い第２信号セットのうちの少なくとも１つの信号又は前記第２信号セットには品質の第３条件を満たすほど良い信号がないことを示すための第４報告情報を第２プロトコル層に送信することと、を含む。
【００１４】
第１態様又は上記いずれか１つの可能な実現方式を参照して、第１態様の他の可能な実現方式では、前記端末が第２プロトコル層で前記第１プロトコル層の信号報告状況に基づいて、伝送のためのランダムアクセスシーケンス及び／又はリソースを決定することは、
前記第４報告情報が前記少なくとも１つの信号を示すとき、前記ランダムアクセスシーケンス及び／又はリソースを無競争に基づくランダムアクセスシーケンス及び／又はリソースとして決定し、又は
前記第４報告情報が前記第２信号セットには品質の第３条件を満たすほど良い信号がないことを示すとき、前記ランダムアクセスシーケンス及び／又はリソースを競争に基づくランダムアクセスシーケンス及び／又はリソースとして決定することを含む。
【００１５】
第１態様又は上記いずれか１つの可能な実現方式を参照して、第１態様の他の可能な実現方式では、前記方法は、更に、
前記信号報告状況に基づいて、ランダムアクセスシーケンス及び／又はリソースを競争に基づくランダムアクセスシーケンス及び／又はリソースとして決定するとき、無線リンク監視（ＲＬＭ）測定結果に基づき、対応する競争に基づくランダムアクセスシーケンス及び／又はリソースを決定することを含む。
【００１６】
第２態様に係る端末であって、該端末は上記第１態様又はそのいずれか１つの可能な実現方式における方法を実現するように構成されるユニットを備えてもよい。
【００１７】
第３態様に係る端末であって、該端末はメモリ及びプロセッサを備えてもよく、該メモリに命令が記憶され、該メモリはメモリに記憶される命令を呼び出して第１態様又はそのいずれか１つの可能な実現方式における方法を実行するように構成される。
【００１８】
第４態様に係るコンピュータ可読媒体であって、前記コンピュータ可読媒体には端末装置が実行するように構成されるプログラムコードが記憶され、前記プログラムコードはいずれか１つの態様又はその様々な実現方式における方法を実行するように構成される命令を含む。
【００１９】
第５態様に係るコンピュータプログラム製品であって、前記コンピュータプログラム製品は第１態様又はその様々な実現方式における方法を実行するように構成される命令を含む。
【発明の効果】
【００２０】
従って、本願の実施例において、該第２プロトコル層で該第１イベントの発生状況に基づいて第２イベントが発生したと決定した場合、該第２プロトコル層で該第１プロトコル層における第２信号セットに関する信号報告状況に基づいて、伝送のためのランダムアクセスシーケンス及び／又はリソースを決定し、該ランダムアクセスシーケンス及び／又はリソースが競争に基づくランダムアクセスシーケンス及び／又はリソース、又は、無競争に基づくランダムアクセスシーケンス及び／又はリソースであり、第１信号セットにおける信号のリンクが利用できなくなるほど悪いとき、第２信号セットにおける信号の品質を利用して、ランダムアクセスシーケンス及び／又はリソースを選択することができる。
【図面の簡単な説明】
【００２１】
【図１】図１は本願の実施例に係る無線通信システムの模式図である。
【図２】図２は本願の実施例に係る無線通信方法の模式的なフローチャートである。
【図３】図３は本願の実施例に係る端末の模式的なブロック図である。
【図４】図４は本願の実施例に係るシステムチップの模式的なブロック図である。
【図５】図５は本願の実施例に係る通信装置の模式的なブロック図である。
【発明を実施するための形態】
【００２２】
本願の実施例の技術案をより明確に説明するために、以下に実施例又は従来技術において必要な図面を用いて簡単に説明を行うが、当然ながら、以下に記載する図面は単に本願の実施例の一例であって、当業者であれば、創造的な労力を要することなく、これらの図面に基づいて他の図面に想到しうる。
【００２３】
以下、本願の実施例の図面を参照しながら、本願の実施例の技術案を説明し、無論、説明される実施例は本願の実施例の一部であり、実施例のすべてではない。本願の実施例に基づき、当業者が進歩性のある労働を必要とせずに得られる他の実施例は、いずれも本願の保護範囲に属する。
【００２４】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム（新無線（ＮＲ：Ｎｅｗ  Ｒａｄｉｏ）システムと称されてもよい）等に適用されてもよい。
【００２５】
図１には本願の実施例に適用される無線通信システム１００を示す。該無線通信システム１００はネットワーク機器１１０を備えてもよい。ネットワーク機器１００は端末装置と通信する機器であってもよい。ネットワーク機器１００は特定の地理的領域に通信カバレッジを提供することができ、且つ該カバレッジ領域内の端末装置（例えば、ＵＥ）と通信することができる。好ましくは、該ネットワーク機器１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は、該ネットワーク機器は中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００２６】
該無線通信システム１００は更にネットワーク機器１１０のカバレッジ範囲内の少なくとも１つの端末装置１２０を備える。端末装置１２０は可動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００２７】
好ましくは、端末装置１２０同士が装置対装置（Ｄ２Ｄ：Ｄｅｖｉｃｅ  ｔｏ  Ｄｅｖｉｃｅ）通信を行うことができる。
【００２８】
好ましくは、５Ｇシステム又はネットワークが更に新無線（ＮＲ：Ｎｅｗ  Ｒａｄｉｏ）システム又はネットワークと称されてもよい。
【００２９】
図１には１つのネットワーク機器及び２つの端末装置を例示的に示し、好ましくは、該無線通信システム１００は複数のネットワーク機器を備えてもよく、且つ各ネットワーク機器のカバレッジ範囲内に他の数の端末装置が含まれてもよく、本願の実施例は制限しない。
【００３０】
好ましくは、該無線通信システム１００は更にネットワークコントローラ、モビリティ管理エンティティ等の他のネットワークエンティティを備えてもよく、本願の実施例は制限しない。
【００３１】
本明細書における用語「システム」と「ネットワーク」が常に交互に使用されると理解すべきである。本明細書における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００３２】
図２は本願の実施例に係る無線通信方法２００の模式的なフローチャートである。該方法２００が図１に示されるシステムに適用されてもよいことが好ましいが、それに限らない。図２に示すように、該方法２００は以下の少なくとも一部を含む。
【００３３】
２１０では、端末は第１プロトコル層で第１信号セットにおける信号の品質が第１条件を満たすほど悪いことを示すための第１イベントを第２プロトコル層に報告する。
【００３４】
好ましくは、該第１プロトコル層が物理層であり、該第２プロトコル層が上位層であり、例えばメディアアクセス制御（ＭＡＣ：Ｍｅｄｉａ  Ａｃｃｅｓｓ  Ｃｏｎｔｒｏｌ）層であってもよい。
【００３５】
好ましくは、該第１信号セットにおける信号がチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、同期信号（ＳＳ：Ｓｙｎｃｈｒｏｎｏｕｓ  ｓｉｇｎａｌ）又は物理ブロードキャストチャネル（ＰＢＣＨ：Ｐｈｙｓｉｃａｌ  Ｂｒｏａｄｃａｓｔｉｎｇ）であってもよい。
【００３６】
好ましくは、該第１信号セットにおける各信号がそれぞれ異なるビームによって送信されてもよい。
【００３７】
端末は第１信号セットにおける信号を測定することができ、信号品質がより良い信号を発見したとき、該信号のインデックスをネットワーク側に通知することができ、この場合、ネットワーク側は該信号を送信する送信ビームを利用して端末へダウンリンクチャネル又は信号、例えばダウンリンク制御チャネル（ＰＤＣＣＨ：Ｄｏｗｎｌｉｎｋ  Ｃｏｎｔｒｏｌ  Ｃｈａｎｎｅｌ）を送信することができる。
【００３８】
好ましくは、該第１信号セットにおける各信号及び少なくとも１つの制御リソースセットは空間受信パラメータに関してＱＣＬ（Ｑｕａｓｉ  ｃｏ−ｌｏｃａｔｉｏｎ）である。
【００３９】
具体的に、該制御リソースセットはＰＤＣＣＨを送信することに用いられてもよく、これにより、端末は第１信号セットにおける信号を測定することによりその空間受信パラメータとのＱＣＬにおいて送信されるＰＤＣＣＨ品質が予め設定された又はネットワーク側に設定された閾値を満たすかどうかを判断することができる。
【００４０】
好ましくは、端末は第１プロトコル層において第１信号セットにおける信号の測定結果の性能が閾値より良いかどうかを判断することができ、閾値より悪い場合、第１イベントすなわちビーム失敗事例（ｂｅａｍ  ｆａｉｌｕｒｅ  ｉｎｓｔａｎｃｅ）が１回発生したと見なされ、且つ関連情報を第２プロトコル層に報告する。
【００４１】
好ましくは、端末は第１プロトコル層において該第１信号セットにおける信号の品質がいずれも第１条件を満たすほど悪いと決定したとき、第２プロトコル層に該第１イベントを報告することができる。
【００４２】
好ましくは、端末は第１信号セットにおける信号を周期的に測定することができる。
【００４３】
好ましくは、第１イベントの報告は周期的であってもよく、１回報告しなかった場合、上位層は今回の対応する測定結果の性能が閾値より良く、第１イベントが発生しなかったことを把握できる。
【００４４】
２２０では、該端末は該第２プロトコル層で該第１イベントの発生状況に基づいて第２イベントが発生したと決定した場合、該端末は該第２プロトコル層で該第１プロトコル層における第２信号セットに関する信号報告状況に基づいて、伝送のためのランダムアクセスシーケンス及び／又はリソースを決定し、該ランダムアクセスシーケンス及び／又はリソースが競争に基づくランダムアクセスシーケンス及び／又はリソース、又は、無競争に基づくランダムアクセスシーケンス及び／又はリソースである。
【００４５】
好ましくは、端末は第２プロトコル層において第２イベントが発生したと決定した場合、第１プロトコル層へ指示情報を送信することにより、第１プロトコル層が第２信号セットにおける信号の品質の第３条件を満たすほど良い情報を第２プロトコル層に報告することをトリガーし、第１プロトコル層が指示情報を受信する前に第２信号セットにおける信号に対する測定を実行しない場合、該指示情報は更に第１プロトコル層の第２信号セットにおける信号に対する測定をトリガーする。
【００４６】
該第２イベントは該第１信号セットにおける信号に対応するリンク品質が第２条件を満たすほど悪いことを示すことに用いられる。
【００４７】
具体的に、端末は受信された第１イベントの数及び／又は発生頻度等に基づき、第２イベントが発生したかどうかを判断することができる。該第２条件は第１イベントの発生数及び／又は頻度に関連したものであってもよい。第２条件を満たす場合、第１信号セットにおける信号に対応するリンク品質がより悪いと説明される。
【００４８】
例えば、端末が第２プロトコル層において連続的に受信した（特定時間内に連続的に受信したものであってもよい）第１イベントの数が一定値を超えると判断する場合、第２イベントが発生したと見なされてもよく、つまり、ビーム失敗（ｂｅａｍ  ｆａｉｌｕｒｅ）が発生したと称されてもよい。
【００４９】
好ましくは、該第２信号セットにおける信号がＣＳＩ−ＲＳ、同期信号又はＰＢＣＨであってもよい。
【００５０】
好ましくは、該第２信号セットにおける各信号がそれぞれ異なるビームによって送信されてもよい。
【００５１】
端末は第２信号セットにおける信号を測定することができ、信号品質がより良い信号を発見したとき、該信号のインデックスをネットワーク側に通知することができ、この場合、ネットワーク側は該信号を送信する送信ビームを利用して端末へダウンリンクチャネル又は信号、例えばダウンリンク制御チャネル（ＰＤＣＣＨ：Ｄｏｗｎｌｉｎｋ  Ｃｏｎｔｒｏｌ  Ｃｈａｎｎｅｌ）を送信することができる。
【００５２】
好ましくは、該第２信号セットにおける各信号及び少なくとも１つの制御リソースセットは空間受信パラメータに関してＱＣＬである。
【００５３】
具体的に、該制御リソースセットはＰＤＣＣＨを送信することに用いられてもよく、これにより、端末は第２信号セットにおける信号を測定することによりその空間受信パラメータとのＱＣＬにおいて送信されるＰＤＣＣＨ品質が予め設定された又はネットワーク側に設定された閾値を満たすかどうかを判断することができる。
【００５４】
好ましくは、第２イベントが発生したと決定した後、端末はタイマーを起動して、該タイマーの持続時間範囲内にリンク再設定プログラムを実行することができる。
【００５５】
該リンク再設定プログラムは、
第２信号セットから信号品質が第３条件を満たすほど良い信号を選択し、
及び／又は、選択された該信号を示すための第１メッセージ（該第１メッセージがビーム失敗要求（ｂｅａｍ  ｆａｉｌｕｒｅ  ｒｅｑｕｅｓｔ）と称されてもよい）をネットワーク側に送信し、具体的に、端末が選択された信号に対応する物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を利用して伝送を開始し、具体的に、ネットワーク側が信号とＰＲＡＣＨシーケンス／時間周波数リソースとの対応関係を予め設定し、つまり、ネットワーク側があるＰＲＡＣＨを受信するとき、シーケンス／時間周波数リソースに基づいてＵＥの報告した信号を把握でき、つまり、該信号に対応するビームを把握でき、
及び／又は、ネットワーク側が該第１メッセージに応答して送信した第２メッセージを監視することを含んでもよい。
【００５６】
好ましくは、本願の実施例において、該端末が該第２プロトコル層で第１タイマーを起動し、
該端末が該第２プロトコル層で該第１タイマーの持続時間範囲内の該第２信号セットに関する信号報告状況に基づいて、該ランダムアクセスシーケンス及び／又はリソースを決定する。
【００５７】
好ましくは、該端末が該第２イベントの発生したと決定した時刻である第１時刻に、該第２プロトコル層において該第１タイマーを起動し、
又は、該第２イベントが発生したと決定した後、該第２プロトコル層が第１イベントの報告停止時刻を該第１プロトコル層に通知し、
又は、該第２イベントが発生したと決定した後、該第２プロトコル層が第２信号セットにおける信号品質の第３条件を満たすほど良い信号の報告時刻を該第１プロトコル層に通知し、
又は、該第２イベントが発生したと決定した後、該第２プロトコル層が該第２信号セットにおける信号の測定時刻を該第１プロトコル層に通知する。
【００５８】
好ましくは、該第１タイマーの持続時間範囲内において、該端末が該第２プロトコル層において該第１プロトコル層の第１報告情報を受信するとき、該伝送のためのランダムアクセスシーケンス及び／又はリソースを無競争に基づくランダムアクセスシーケンス及び／又はリソースとして決定し、該第１報告情報は品質の第３条件を満たすほど良い第２信号セットのうちの少なくとも１つの信号を示すことに用いられる。
【００５９】
好ましくは、該第１タイマーの持続時間範囲内において、該端末が該第２プロトコル層において該第１プロトコル層の第２報告情報を受信するとき、該伝送のためのランダムアクセスシーケンス及び／又はリソースを競争に基づくランダムアクセスシーケンス及び／又はリソースとして決定し、該報告情報は該第２信号セットには品質の第３条件を満たすほど良い信号がないことを示すことに用いられる。
【００６０】
好ましくは、該第１タイマーの持続時間範囲内において、該端末が該第２プロトコル層において該第１プロトコル層の品質の第３条件を満たすほど良い第２信号セットのうちの少なくとも１つの信号を示すための報告情報を受信しないとき、該伝送のためのランダムアクセスシーケンス及び／又はリソースを競争に基づくランダムアクセスシーケンス及び／又はリソースとして決定する。
【００６１】
以上は端末が第２プロトコル層で第１タイマーを起動し、第１タイマーの持続時間範囲内の信号報告状況に基づいて、伝送のためのランダムアクセスシーケンス及び／又はリソースを決定することを説明した。
【００６２】
しかしながら、本願の実施例において、第１タイマーを起動しなくてもよいと理解すべきである。以下に２つの実現方式及びその可能な方式を説明する。
【００６３】
一実現方式では、該端末は該第１プロトコル層において該第２プロトコル層が該第２イベントの発生したと決定した後に送信した指示情報を受信した後、測定結果に基づき、品質の第３条件を満たすほど良い第２信号セットのうちの少なくとも１つの信号又は該第２信号セットには品質の第３条件を満たすほど良い信号がないことを示すための第３報告情報を第２プロトコル層に送信する。端末の第１プロトコル層は該指示情報を受信する（例えば、第２イベントが発生する）前に、第２信号セットにおける信号を測定し始めた場合、該指示情報を受信するとき、測定結果に基づいて該第３報告情報を送信することを実行することができる。
【００６４】
好ましくは、該第３報告情報が該少なくとも１つの信号を示すとき、該伝送のためのランダムアクセスシーケンス及び／又はリソースを無競争に基づくランダムアクセスシーケンス及び／又はリソースとして決定し、又は
該第３報告情報が該第２信号セットには品質の第３条件を満たすほど良い信号がないことを示すとき、該伝送のためのランダムアクセスシーケンス及び／又はリソースを競争に基づくランダムアクセスシーケンス及び／又はリソースとして決定する。
【００６５】
一実現方式では、該第１プロトコル層は該第２プロトコル層によって該第２イベントが発生したと決定した後に送信した指示情報を受信した後、該第１プロトコル層において第２タイマーを起動し、
該第２タイマーの持続時間範囲内において、測定結果に基づき、品質の第３条件を満たすほど良い第２信号セットのうちの少なくとも１つの信号又は該第２信号セットには品質の第３条件を満たすほど良い信号がないことを示すための第４報告情報を第２プロトコル層に送信する。
【００６６】
好ましくは、該第４報告情報が該少なくとも１つの信号を示すとき、該ランダムアクセスシーケンス及び／又はリソースを無競争に基づくランダムアクセスシーケンス及び／又はリソースとして決定し、又は、該第４報告情報が該第２信号セットには品質の第３条件を満たすほど良い信号がないことを示すとき、該ランダムアクセスシーケンス及び／又はリソースを競争に基づくランダムアクセスシーケンス及び／又はリソースとして決定する。
【００６７】
好ましくは、本願の実施例において、該信号報告状況に基づいて、ランダムアクセスシーケンス及び／又はリソースを競争に基づくランダムアクセスシーケンス及び／又はリソースとして決定するとき、無線リンク監視（ＲＬＭ）測定結果に基づき、対応する競争に基づくランダムアクセスシーケンス及び／又はリソースを決定する。
【００６８】
本願を理解しやすくするために、以下にいくつかの例を挙げて説明する。
【００６９】
まずｑ０が１つの信号セットであって、１つ又は複数の信号を含む（ＣＳＩ−ＲＳ信号であってもよいし、ＳＳ／ＰＢＣＨブロック（ｂｌｏｃｋ）であってもよい）と仮定し、端末は信号セットにおける信号の品質を測定することにより、ｂｅａｍ  ｆａｉｌｕｒｅ  ｉｎｓｔａｎｃｅが発生するかどうかを判断する（判断閾値が仮定（Ｈｙｐｏｔｈｅｔｉｃａｌ）したブロック誤り率（ＢＬＥＲ：Ｂｌｏｃｋ  Ｅｒｒｏｒ  Ｒａｔｉｏ）であってもよい）。ｑ０におけるすべての信号に対応する性能がいずれも閾値より悪い場合、１つのｂｅａｍ  ｆａｉｌｕｒｅ  ｉｎｓｔａｎｃｅであると見なされる。端末は下位層においてｑ０における信号に対応するリンク品質を測定し、リンク品質が対応する閾値より悪い場合、上位層に通知する。上位層が下位層の通知に基づき、ｂｅａｍ  ｆａｉｌｕｒｅを送信した（例えば、Ｎ個の通知を連続的に受信した）と判断する場合、リンク品質が対応する閾値より悪いことを通知する。
【００７０】
ｑ１が１つのセットであって、１つ又は複数の信号を含み（ＣＳＩ−ＲＳ信号であってもよいし、ＳＳ／ＰＢＣＨ  ｂｌｏｃｋであってもよい）、端末は対応する品質を測定することにより、信号に対応するリンク品質が閾値より良いかどうかを決定することができ、これにより、可能な新しい信号の候補セットを決定する（判断閾値がＬ１−参照信号受信電力（ＲＳＲＰ：Ｒｅｆｅｒｅｎｃｅ  Ｓｉｇｎａｌ  Ｒｅｃｅｉｖｉｎｇ  Ｐｏｗｅｒ）である）。
【００７１】
例１
端末はＭＡＣ層がｂｅａｍ  ｆａｉｌｕｒｅの発生した（第２イベント、すなわちリンク品質が一定条件を満たすほど悪い）と判断した後、
第２イベントが発生したと決定した時刻、
ｑ１セットにおける信号品質が一定条件を満たすほど良い信号の報告を物理層に通知した時刻、
ｑ０セットに対する第１イベントの報告の停止を物理層に通知した時刻、
ｑ１セットにおける信号に対する測定の起動を物理層に通知した時刻のうちのいずれか１つにタイマーを起動することができる。
【００７２】
タイマーが終了しない前に、ＭＡＣ層が物理層の報告した一定閾値を満たす参照信号を受信するとき、ＭＡＣ層が報告した参照信号に基づき、その中から１つの参照信号及びその対応する無競争（ｃｏｎｔｅｎｔｉｏｎ−ｆｒｅｅ）ＰＲＡＣＨリソース及び／又はシーケンスを選択して伝送する。上記１つの参照信号の選択方法は、
物理層の報告したものから品質の最も良い参照信号を選択する方法、
物理層の報告したものから１つの参照信号をランダムに選択する方法であってもよく、
他の方式で選択してもよく、本願の実施例は具体的に制限しないと理解すべきである。
【００７３】
例２
端末はＭＡＣ層がｂｅａｍ  ｆａｉｌｕｒｅの発生した（第２イベント、すなわちリンク品質が一定条件を満たすほど悪い）と判断した後、
第２イベントが発生したと決定した時刻、
ｑ１セットにおける信号品質が一定条件を満たすほど良い信号の報告を物理層に通知した時刻、
ｑ０セットに対する第１イベントの報告の停止を物理層に通知した時刻、
ｑ１セットにおける信号に対する測定の起動を物理層に通知した時刻のうちのいずれか１つにタイマーを起動することができる。
【００７４】
タイマーが終了しない前に、ＭＡＣ層が物理層の報告した一定閾値を満たす参照信号を受信しないとき、ＭＡＣ層が他の情報（例えば、ＵＥの無線リンク監視（ＲＬＭ：ｒａｄｉｏ  ｌｉｎｋ  ｍｏｎｉｔｏｒ）に対する測定結果）に基づき、対応する競争に基づく（ｃｏｎｔｅｎｔｉｏｎ−ｂａｓｅｄ）ＰＲＡＣＨシーケンス及び／又はリソースを選択して伝送することができる。
【００７５】
例３
端末はＭＡＣ層がｂｅａｍ  ｆａｉｌｕｒｅの発生した（第２イベント、すなわちリンク品質が一定条件を満たすほど悪い）と判断した後、
第２イベントが発生したと決定した時刻、
ｑ１セットにおける信号品質が一定条件を満たすほど良い信号の報告を物理層に通知した時刻、
ｑ０セットに対する第１イベントの報告の停止を物理層に通知した時刻、
ｑ１セットにおける信号に対する測定の起動を物理層に通知した時刻のうちのいずれか１つにタイマーを起動することができる。
【００７６】
タイマーが終了しない前に、ＭＡＣ層が物理層の報告した一定閾値を満たさない参照信号を示すための情報を受信するとき、ＭＡＣ層は他の情報（例えば、ＵＥの無線リンク監視（ＲＬＭ：ｒａｄｉｏ  ｌｉｎｋ  ｍｏｎｉｔｏｒ）に対する測定結果）に基づき、対応する競争に基づく（ｃｏｎｔｅｎｔｉｏｎ−ｂａｓｅｄ）ＰＲＡＣＨシーケンス及び／又はリソースを選択して伝送することができる。
【００７７】
例４
端末はＭＡＣ層がｂｅａｍ  ｆａｉｌｕｒｅの発生した（第２イベント、すなわちリンク品質が一定条件を満たすほど悪い）と判断した後、物理層へ指示情報を送信することができ、該指示情報に基づき、物理層は測定結果に基づいてｑ１には品質のより良い信号があるかどうかをＭＡＣ層にフィードバックすることができ、該測定は該指示情報がトリガーされる前に実行されてもよい。ＭＡＣ層が物理層の報告した一定閾値を満たさない参照信号を示すための情報を受信するとき、ＭＡＣ層は他の情報（例えば、ＵＥの無線リンク監視（ＲＬＭ：ｒａｄｉｏ  ｌｉｎｋ  ｍｏｎｉｔｏｒ）に対する測定結果）に基づき、対応する競争に基づく（ｃｏｎｔｅｎｔｉｏｎ−ｂａｓｅｄ）ＰＲＡＣＨシーケンス及び／又はリソースを選択して伝送することができる。ＭＡＣ層が物理層の報告した一定閾値を満たす参照信号を受信するとき、ＭＡＣ層が報告した参照信号に基づき、その中から１つの参照信号及びその対応する無競争（ｃｏｎｔｅｎｔｉｏｎ−ｆｒｅｅ）ＰＲＡＣＨリソース及び／又はシーケンスを選択して伝送する。
【００７８】
例５
端末はＭＡＣ層がｂｅａｍ  ｆａｉｌｕｒｅの発生した（第２イベント、すなわちリンク品質が一定条件を満たすほど悪い）と判断した後、物理層へ指示情報を送信することができ、該指示情報に基づき、物理層はタイマーを起動して測定し、該タイマーの持続時間範囲内において、ｑ１には一定閾値を満たす参照信号があるかどうかをＭＡＣ層に報告することができる。ＭＡＣ層が物理層の報告した一定閾値を満たさない参照信号を示すための情報を受信するとき、ＭＡＣ層は他の情報（例えば、ＵＥの無線リンク監視（ＲＬＭ：ｒａｄｉｏ  ｌｉｎｋ  ｍｏｎｉｔｏｒ）に対する測定結果）に基づき、対応する競争に基づく（ｃｏｎｔｅｎｔｉｏｎ−ｂａｓｅｄ）ＰＲＡＣＨシーケンス及び／又はリソースを選択して伝送することができる。ＭＡＣ層が物理層の報告した一定閾値を満たす参照信号を受信するとき、ＭＡＣ層が報告した参照信号に基づき、その中から１つの参照信号及びその対応する無競争（ｃｏｎｔｅｎｔｉｏｎ−ｆｒｅｅ）ＰＲＡＣＨリソース及び／又はシーケンスを選択して伝送する。
【００７９】
従って、本願の実施例において、該第２プロトコル層で該第１イベントの発生状況に基づいて第２イベントが発生したと決定した場合、該第２プロトコル層で該第１プロトコル層における第２信号セットに関する信号報告状況に基づいて、伝送のためのランダムアクセスシーケンス及び／又はリソースを決定し、該ランダムアクセスシーケンス及び／又はリソースが競争に基づくランダムアクセスシーケンス及び／又はリソース、又は、無競争に基づくランダムアクセスシーケンス及び／又はリソースであり、第１信号セットにおける信号のリンクが利用できなくなるほど悪いとき、第２信号セットにおける信号の品質を利用して、ランダムアクセスシーケンス及び／又はリソースを選択することができる。
【００８０】
図３は本願の実施例に係る端末３００の模式的なブロック図である。該端末３００は通信ユニット３１０及び処理ユニット３２０を備え、
該通信ユニット３１０は、第１プロトコル層で第１信号セットにおける信号の品質が第１条件を満たすほど悪いことを示すための第１イベントを第２プロトコル層に報告するように構成され、
該処理ユニット３２０は、該第２プロトコル層で該第１イベントの発生状況に基づいて第２イベントが発生したと決定した場合、該第２プロトコル層で該第１プロトコル層における第２信号セットに関する信号報告状況に基づいて、伝送のためのランダムアクセスシーケンス及び／又はリソースを決定するように構成され、該ランダムアクセスシーケンス及び／又はリソースが競争に基づくランダムアクセスシーケンス及び／又はリソース、又は、無競争に基づくランダムアクセスシーケンス及び／又はリソースであり、
該第２イベントは該第１信号セットにおける信号に対応するリンク品質が第２条件を満たすほど悪いことを示すことに用いられる。
【００８１】
好ましくは、該処理ユニット３２０は、更に、
該第２プロトコル層で第１タイマーを起動し、
該第２プロトコル層で該第１タイマーの持続時間範囲内の該第２信号セットに関する信号報告状況に基づいて、該ランダムアクセスシーケンス及び／又はリソースを決定するように構成される。
【００８２】
好ましくは、該処理ユニット３２０は、更に、
該第１タイマーの持続時間範囲内において、該第２プロトコル層で該第１プロトコル層の第１報告情報を受信するとき、該伝送のためのランダムアクセスシーケンス及び／又はリソースを無競争に基づくランダムアクセスシーケンス及び／又はリソースとして決定するように構成され、該第１報告情報は品質の第３条件を満たすほど良い第２信号セットのうちの少なくとも１つの信号を示すことに用いられる。
【００８３】
好ましくは、該処理ユニット３２０は、更に、
該第１タイマーの持続時間範囲内において、該第２プロトコル層で該第１プロトコル層の第２報告情報を受信するとき、該伝送のためのランダムアクセスシーケンス及び／又はリソースを競争に基づくランダムアクセスシーケンス及び／又はリソースとして決定するように構成され、該報告情報は該第２信号セットには品質の第３条件を満たすほど良い信号がないことを示すことに用いられる。
【００８４】
好ましくは、該処理ユニット３２０は、更に、
該第１タイマーの持続時間範囲内において、該第２プロトコル層で該第１プロトコル層の品質の第３条件を満たすほど良い第２信号セットのうちの少なくとも１つの信号を示すための報告情報を受信しないとき、該伝送のためのランダムアクセスシーケンス及び／又はリソースを競争に基づくランダムアクセスシーケンス及び／又はリソースとして決定するように構成される。
【００８５】
好ましくは、該処理ユニット３２０は、更に、
該第２イベントが発生したと決定した時刻である第１時刻に、該第２プロトコル層において該第１タイマーを起動し、
又は、該第２イベントが発生したと決定した後、該第２プロトコル層が第１イベントの報告停止時刻を該第１プロトコル層に通知し、
又は、該第２イベントが発生したと決定した後、該第２プロトコル層が第２信号セットにおける信号品質の第３条件を満たすほど良い信号の報告時刻を該第１プロトコル層に通知し、
又は、該第２イベントが発生したと決定した後、該第２プロトコル層が該第２信号セットにおける信号の測定時刻を該第１プロトコル層に通知するように構成される。
【００８６】
好ましくは、該通信ユニット３１０は、更に、
該第１プロトコル層において該第２プロトコル層が該第２イベントの発生したと決定した後に送信した指示情報を受信した後、測定結果に基づき、品質の第３条件を満たすほど良い第２信号セットのうちの少なくとも１つの信号又は該第２信号セットには品質の第３条件を満たすほど良い信号がないことを示すための第３報告情報を第２プロトコル層に送信するように構成される。
【００８７】
好ましくは、該処理ユニット３２０は、更に、
該第３報告情報が該少なくとも１つの信号を示すとき、該伝送のためのランダムアクセスシーケンス及び／又はリソースを無競争に基づくランダムアクセスシーケンス及び／又はリソースとして決定し、又は
該第３報告情報が該第２信号セットには品質の第３条件を満たすほど良い信号がないことを示すとき、該伝送のためのランダムアクセスシーケンス及び／又はリソースを競争に基づくランダムアクセスシーケンス及び／又はリソースとして決定するように構成される。
【００８８】
好ましくは、該処理ユニット３２０は、更に、
該第１プロトコル層が該第２プロトコル層の該第２イベントの発生したと決定した後に送信した指示情報を受信した後、該第１プロトコル層において第２タイマーを起動するように構成され、
該通信ユニット３１０は、更に、該第２タイマーの持続時間範囲内において、測定結果に基づき、品質の第３条件を満たすほど良い第２信号セットのうちの少なくとも１つの信号又は該第２信号セットには品質の第３条件を満たすほど良い信号がないことを示すための第４報告情報を第２プロトコル層に送信するように構成される。
【００８９】
好ましくは、該処理ユニット３２０は、更に、
該第４報告情報が該少なくとも１つの信号を示すとき、該ランダムアクセスシーケンス及び／又はリソースを無競争に基づくランダムアクセスシーケンス及び／又はリソースとして決定し、又は
該第４報告情報が該第２信号セットには品質の第３条件を満たすほど良い信号がないことを示すとき、該ランダムアクセスシーケンス及び／又はリソースを競争に基づくランダムアクセスシーケンス及び／又はリソースとして決定するように構成される。
【００９０】
好ましくは、該処理ユニット３２０は、更に、
該信号報告状況に基づいて、ランダムアクセスシーケンス及び／又はリソースを競争に基づくランダムアクセスシーケンス及び／又はリソースとして決定するとき、無線リンク監視（ＲＬＭ）測定結果に基づき、対応する競争に基づくランダムアクセスシーケンス及び／又はリソースを決定するように構成される。
【００９１】
該端末３００は方法２００に対応してもよく、方法２００における端末の対応操作を実現することができ、簡潔のため、ここで詳細な説明は省略すると理解すべきである。
【００９２】
図４は本願の実施例のシステムチップ８００の構造模式図である。図４のシステムチップ８００は入力インターフェース８０１、出力インターフェース８０２、プロセッサ８０３及びメモリ８０４を備え、前記プロセッサ８０３及びメモリ８０４が内部通信接続回路によって接続されてもよく、前記プロセッサ８０３は前記メモリ８０４におけるコードを実行するように構成される。
【００９３】
好ましくは、前記コードが実行されるとき、前記プロセッサ８０３は方法実施例における端末の実行する方法を実現する。簡潔のため、ここで詳細な説明は省略する。
【００９４】
図５は本願の実施例に係る通信装置９００の模式的なブロック図である。図５に示すように、該通信装置９００はプロセッサ９１０及びメモリ９２０を備える。該メモリ９２０にプログラムコードが記憶されてもよく、該プロセッサ９１０は該メモリ９２０に記憶されるプログラムコードを実行することができる。
【００９５】
好ましくは、図５に示すように、該通信装置９００は送受信機９３０を備えてもよく、プロセッサ９１０は送受信機９３０が外部と通信するように制御することができる。
【００９６】
好ましくは、該プロセッサ９１０はメモリ９２０に記憶されるプログラムコードを呼び出して、方法実施例における端末の対応操作を実行することができ、簡潔のため、ここで詳細な説明は省略する。
【００９７】
本願の実施例のプロセッサが信号処理能力を有する集積回路チップである可能性があると理解すべきである。実現過程において、上記方法実施例の各ステップはプロセッサにおけるハードウェアの集積論理回路又はソフトウェア形式の命令で完了してもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロック図を実現又は実行することができる。汎用プロセッサはマイクロプロセッサであってもよく、又は該プロセッサは更にいかなる通常のプロセッサ等であってもよい。本願の実施例に開示される方法のステップはハードウェア復号プロセッサで実行して完了し、又は復号プロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリに位置し、プロセッサがメモリにおける情報を読み取り、そのハードウェアと組み合わせて上記方法のステップを完了する。
【００９８】
本願の実施例におけるメモリは揮発性メモリ又は不揮発性メモリであってもよく、又は、揮発性メモリ及び不揮発性メモリを含んでもよいと理解される。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。制限的ではなく、例示的な説明によって、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が利用可能である。ただし、本明細書に説明されるシステム及び方法のメモリはこれらのメモリ及び任意の他の適切なタイプのメモリを含んでもよいが、それらに限らないように意図される。
【００９９】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１００】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１０１】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１０２】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１０３】
また、本発明の各実施例において、各機能ユニットは１つの処理ユニットに統合されてもよく、各ユニットは独立して物理的に存在してもよく、２つ又は２つ以上のユニットは１つのユニットに統合されてもよい。
【０１０４】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１０５】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2021516875.tif 000003
【図２】
2021516875.tif 000004
【図３】
2021516875.tif 000005
【図４】
2021516875.tif 000006
【図５】
2021516875.tif 000007
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
無線通信方法であって、
端末は第１プロトコル層で第１信号セットにおける信号の品質が第１条件を満たすほど悪いことを示すための第１イベントを第２プロトコル層に報告することと、
前記端末は前記第２プロトコル層で前記第１イベントの発生状況に基づいて第２イベントが発生したと決定した場合、前記端末は前記第２プロトコル層で前記第１プロトコル層における第２信号セットに関する信号報告状況に基づいて、伝送のためのランダムアクセスシーケンス及び／又はリソースを決定することであって、前記ランダムアクセスシーケンス及び／又はリソースが競争に基づくランダムアクセスシーケンス及び／又はリソース、又は、無競争に基づくランダムアクセスシーケンス及び／又はリソースであることと、を含み、
前記第２イベントは該第１信号セットにおける信号に対応するリンク品質が第２条件を満たすほど悪いことを示すことに用いられる、前記無線通信方法。
【請求項２】
前記無線通信方法は、更に、
前記端末が前記第２プロトコル層で第１タイマーを起動することを含み、
前記端末が第２プロトコル層で前記第１プロトコル層の信号報告状況に基づいて、伝送のためのランダムアクセスシーケンス及び／又はリソースを決定することは、
前記端末が前記第２プロトコル層で前記第１タイマーの持続時間範囲内の前記第２信号セットに関する信号報告状況に基づいて、前記ランダムアクセスシーケンス及び／又はリソースを決定することを含む
請求項１に記載の無線通信方法。
【請求項３】
前記端末が前記第２プロトコル層で前記第１タイマーの持続時間範囲内の前記信号報告状況に基づいて、伝送のためのランダムアクセスシーケンス及び／又はリソースを決定することは、
前記第１タイマーの持続時間範囲内において、前記端末が前記第２プロトコル層で前記第１プロトコル層の第１報告情報を受信するとき、前記伝送のためのランダムアクセスシーケンス及び／又はリソースを無競争に基づくランダムアクセスシーケンス及び／又はリソースとして決定することであって、前記第１報告情報は、品質が第３条件を満たすほど良い第２信号セットのうちの少なくとも１つの信号を示すことに用いられることを含む
請求項２に記載の無線通信方法。
【請求項４】
前記端末が前記第２プロトコル層で前記第１タイマーの持続時間範囲内の前記信号報告状況に基づいて、伝送のためのランダムアクセスシーケンス及び／又はリソースを決定することは、
前記第１タイマーの持続時間範囲内において、前記端末が前記第２プロトコル層で前記第１プロトコル層の、品質の第３条件を満たすほど良い第２信号セットのうちの少なくとも１つの信号を示すための報告情報を受信しないとき、前記伝送のためのランダムアクセスシーケンス及び／又はリソースを競争に基づくランダムアクセスシーケンス及び／又はリソースとして決定することを含む
請求項２に記載の無線通信方法。
【請求項５】
前記端末が前記第２プロトコル層で第１タイマーを起動することは、
前記端末が前記第２イベントの発生したと決定した時刻である第１時刻に、前記第２プロトコル層において前記第１タイマーを起動し、
又は、前記第２イベントが発生したと決定した後、前記第２プロトコル層が第１イベントの報告停止時刻を前記第１プロトコル層に通知し、
又は、前記第２イベントが発生したと決定した後、前記第２プロトコル層が、第２信号セットにおける信号品質の第３条件を満たすほど良い信号の報告時刻を前記第１プロトコル層に通知し、
又は、前記第２イベントが発生したと決定した後、前記第２プロトコル層が前記第２信号セットにおける信号の測定時刻を前記第１プロトコル層に通知することを含む
請求項１〜４のいずれか１項に記載の無線通信方法。
【請求項６】
前記無線通信方法は、更に、
前記端末が、前記第１プロトコル層が前記第２プロトコル層によって前記第２イベントが発生したと決定した後に送信された指示情報を受信した後、測定結果に基づき、品質の第３条件を満たすほど良い第２信号セットのうちの少なくとも１つの信号又は前記第２信号セットには品質の第３条件を満たすほど良い信号がないことを示すための第３報告情報を第２プロトコル層に送信することを含む
請求項１に記載の無線通信方法。
【請求項７】
前記端末が第２プロトコル層で前記第１プロトコル層の信号報告状況に基づいて、伝送のためのランダムアクセスシーケンス及び／又はリソースを決定することは、
前記第３報告情報が前記少なくとも１つの信号を示すとき、前記伝送のためのランダムアクセスシーケンス及び／又はリソースを無競争に基づくランダムアクセスシーケンス及び／又はリソースとして決定すること、又は
前記第３報告情報が前記第２信号セットには品質の第３条件を満たすほど良い信号がないことを示すとき、前記伝送のためのランダムアクセスシーケンス及び／又はリソースを競争に基づくランダムアクセスシーケンス及び／又はリソースとして決定することを含む
請求項６に記載の無線通信方法。
【請求項８】
前記無線通信方法は、更に、
前記信号報告状況に基づいて、ランダムアクセスシーケンス及び／又はリソースを競争に基づくランダムアクセスシーケンス及び／又はリソースとして決定するとき、無線リンク監視（ＲＬＭ）測定結果に基づき、対応する競争に基づくランダムアクセスシーケンス及び／又はリソースを決定することを含む
請求項１〜７のいずれか１項に記載の無線通信方法。
【請求項９】
前記第１プロトコル層が物理層であり、前記第２プロトコル層がメディアアクセス制御（ＭＡＣ）層である
請求項１〜８のいずれか１項に記載の無線通信方法。
【請求項１０】
端末であって、
通信ユニット及び処理ユニットを備え、
前記通信ユニットは、第１プロトコル層で第１信号セットにおける信号の品質が第１条件を満たすほど悪いことを示すための第１イベントを第２プロトコル層に報告するように構成され、
前記処理ユニットは、前記第２プロトコル層で前記第１イベントの発生状況に基づいて第２イベントが発生したと決定した場合、前記第２プロトコル層で前記第１プロトコル層における第２信号セットに関する信号報告状況に基づいて、伝送のためのランダムアクセスシーケンス及び／又はリソースを決定することに用いられ、前記ランダムアクセスシーケンス及び／又はリソースが競争に基づくランダムアクセスシーケンス及び／又はリソース、又は、無競争に基づくランダムアクセスシーケンス及び／又はリソースであり、
前記第２イベントは該第１信号セットにおける信号に対応するリンク品質が第２条件を満たすほど悪いことを示すことに用いられる、前記端末。
【請求項１１】
前記処理ユニットは、更に、
前記第２プロトコル層で第１タイマーを起動し、
前記第２プロトコル層で前記第１タイマーの持続時間範囲内の前記第２信号セットに関する信号報告状況に基づいて、前記ランダムアクセスシーケンス及び／又はリソースを決定するように構成される
請求項１０に記載の端末。
【請求項１２】
前記処理ユニットは、更に、
前記第１タイマーの持続時間範囲内において、前記第２プロトコル層で前記第１プロトコル層の第１報告情報を受信するとき、前記伝送のためのランダムアクセスシーケンス及び／又はリソースを無競争に基づくランダムアクセスシーケンス及び／又はリソースとして決定するように構成され、前記第１報告情報は品質の第３条件を満たすほど良い第２信号セットのうちの少なくとも１つの信号を示すことに用いられる
請求項１１に記載の端末。
【請求項１３】
前記処理ユニットは、更に、
前記第１タイマーの持続時間範囲内において、前記第２プロトコル層で前記第１プロトコル層の第２報告情報を受信するとき、前記伝送のためのランダムアクセスシーケンス及び／又はリソースを競争に基づくランダムアクセスシーケンス及び／又はリソースとして決定するように構成され、前記報告情報は前記第２信号セットには品質の第３条件を満たすほど良い信号がないことを示すことに用いられる
請求項１１に記載の端末。
【請求項１４】
前記処理ユニットは、更に、
前記第１タイマーの持続時間範囲内において、前記第２プロトコル層で前記第１プロトコル層の品質の第３条件を満たすほど良い第２信号セットのうちの少なくとも１つの信号を示すための報告情報を受信しないとき、前記伝送のためのランダムアクセスシーケンス及び／又はリソースを競争に基づくランダムアクセスシーケンス及び／又はリソースとして決定するように構成される
請求項１１に記載の端末。
【請求項１５】
前記処理ユニットは、更に、
前記第２イベントが発生したと決定した時刻である第１時刻に、前記第２プロトコル層において前記第１タイマーを起動し、
又は、前記第２イベントが発生したと決定した後、前記第２プロトコル層が第１イベントの報告停止時刻を前記第１プロトコル層に通知し、
又は、前記第２イベントが発生したと決定した後、前記第２プロトコル層は、第２信号セットにおける信号品質の第３条件を満たすほど良い信号の報告時刻を前記第１プロトコル層に通知し、
又は、前記第２イベントが発生したと決定した後、前記第２プロトコル層が前記第２信号セットにおける信号の測定時刻を前記第１プロトコル層に通知するように構成される
請求項１０〜１４のいずれか１項に記載の端末。
【請求項１６】
前記処理ユニットは、更に、
前記第１プロトコル層が前記第２プロトコル層の前記第２イベントの発生したと決定した後に送信した指示情報を受信した後、前記第１プロトコル層において第２タイマーを起動するように構成され、
前記通信ユニットは、更に、前記第２タイマーの持続時間範囲内において、測定結果に基づき、品質の第３条件を満たすほど良い第２信号セットのうちの少なくとも１つの信号又は前記第２信号セットには品質の第３条件を満たすほど良い信号がないことを示すための第４報告情報を第２プロトコル層に送信することに用いられる
請求項１０に記載の端末。
【請求項１７】
前記処理ユニットは、更に、
前記第４報告情報が前記少なくとも１つの信号を示すとき、前記ランダムアクセスシーケンス及び／又はリソースを無競争に基づくランダムアクセスシーケンス及び／又はリソースとして決定し、又は
前記第４報告情報が前記第２信号セットには品質の第３条件を満たすほど良い信号がないことを示すとき、前記ランダムアクセスシーケンス及び／又はリソースを競争に基づくランダムアクセスシーケンス及び／又はリソースとして決定するように構成される
請求項１６に記載の端末。
【請求項１８】
前記第１プロトコル層が物理層であり、前記第２プロトコル層がメディアアクセス制御（ＭＡＣ）層である
請求項１０〜１７のいずれか１項に記載の端末。
【国際調査報告】
2021516875.tif 000008
2021516875.tif 000009
2021516875.tif 000010
2021516875.tif 000011